(57)【要約】    【課題】  本発明は、機器筐体の操作面に露呈する操作キーを具備し、機器筐体の内部に突出形成した取付ピンを、キーパッドに開口形成した取付孔に挿入嵌合して、キーパッドを機器筐体に固定設置して成る電子機器を対象として、上記キーパッドを機器筐体に対してガタを生じることなく、かつ確実に固定設置することの可能な電子機器の提供を目的としている。    【解決手段】  キーパッドにおいてゴム材料から成る部位に取付孔を開口形成し、取付孔の貫通するゴム材料から成るスリーブの外周に、該スリーブの変形を拘束する樹脂材料から成るサポート部を設けている。  ゴム材料から成るクリックドームシートに樹脂材料から成るベースプレートを一体成形して成るキーパッドにおいて、クリックドームシートに取付孔の貫通するスリーブを形成するとともにベースシートにサポート部を形成している。    【選択図】  図５
2008140733.tif 000002
【特許請求の範囲】
【請求項１】
機器筐体の操作面に露呈する操作キーを具備し、前記機器筐体の内部に突出形成した取付ピンを、キーパッドに開口形成した取付孔に挿入嵌合して、前記キーパッドを前記機器筐体に固定設置して成る電子機器であって、
前記キーパッドにおいてゴム材料から成る部位に前記取付孔を開口形成するとともに、前記取付孔の貫通するゴム材料から成るスリーブの外周に、該スリーブの変形を拘束する樹脂材料から成るサポート部を設けて成ることを特徴とする電子機器。
【請求項２】
前記キーパッドが、ゴム材料から成るクリックドームシートに、樹脂材料から成るベースプレートを一体成形して成り、前記クリックドームシートに前記取付孔の貫通するスリーブを形成するとともに、前記ベースシートに前記サポート部を形成したことを特徴とする請求項１記載の電子機器。
【発明の詳細な説明】
【技術分野】
【０００１】
本発明は、機器筐体の操作面に露呈する操作キーを具備し、前記機器筐体の内部に突出形成した取付ピンを、キーパッドに開口形成した取付孔に挿入嵌合して、前記キーパッドを前記機器筐体に固定設置して成る電子機器に関するものである。
【背景技術】
【０００２】
図６は、電子機器の一例である携帯電話機を示しており、この折畳み式の携帯電話機Ａは、多数の操作キーＫ、Ｋ…等を有する下筐体Ｂと、液晶表示部Ｄ等を有する上筐体Ｃとを、ヒンジ部Ｈを介して開閉自在に連結することにより構成されている。
【０００３】
また、下内ケースＩと下外ケースＯとを互いに組付けて成る下筐体Ｂの内部には、図示していない回路基板等が収容設置されているとともに、上述した多数の操作キーＫ、Ｋ…が、下筐体Ｂにおける下内ケースＩの操作面Ｉｆから露呈して設置されている。
【０００４】
ここで、電子機器の機器筐体に多数の操作キーを実装するための技術として、従来から、キーパッドを機器筐体に設置する構成が提供されている（例えば、特許文献１参照）。
【０００５】
図７〜図１０に示す如く、携帯電話機Ａ(図６)に使用されているキーパッドＰは、所定個数のクリックドームＳｃ、Ｓｃ…を配列して一体成形したクリックドームシートＳの上面に、所定数の操作キー(キートップ)Ｋ、Ｋ…を連設して形成したキートップシートＴを貼着して構成されている。
【０００６】
上記キーパッドＰのクリックドームシートＳは、全体がゴム材料から形成されており、上記クリックドームシートＳの縁部に突出形成された４箇所の取付用タブＰｔ、Ｐｔ…には、それぞれ取付孔Ｐｏ、Ｐｏ…が開口形成されている。
【０００７】
一方、図１０に示す如く、下筐体Ｂにおける下内ケースＩの内面には、４箇所に取付ピンＩｐ、Ｉｐ…が突出形成されており、これら取付ピンＩｐ、Ｉｐ…をキーパッドＰの取付孔Ｐｏ、Ｐｏ…に圧入し、取付ピンＩｐと取付孔Ｐｏとを互いに嵌合させることにより、下内ケースＩの内部における所定位置に上記キーパッドＰが固定設置されている。
【特許文献１】特開平０８−２２３２６０号公報
【発明の開示】
【発明が解決しようとする課題】
【０００８】
ところで、上述した如き従来の携帯電話機Ａの構成では、キーパッドＰを構成するクリックドームシートＳの全体が、取付用タブＰｔをも含めてゴム材料から形成されているため、取付孔Ｐｏに取付ピンＩｐを圧入嵌合した状況においても、上記取付孔Ｐｏの周囲におけるゴム材料の柔軟性に起因して、取付ピンＩｐに対する締付力の低下を招来するばかりでなく、下内ケースＩに対するキーパッドＰのガタを生じる虞れがあった。
【０００９】
本発明の目的は、上記実状に鑑みて、機器筐体の内部に突出形成した取付ピンを、キーパッドに開口形成した取付孔に挿入嵌合し、キーパッドを機器筐体に固定設置して成る電子機器を対象とし、上記キーパッドを機器筐体に対してガタを生じることなく、かつ強固に固定設置することの可能な電子機器を提供することにある。
【課題を解決するための手段】
【００１０】
請求項１の発明に関わる電子機器は、機器筐体の操作面に露呈する操作キーを具備し、機器筐体の内部に突出形成した取付ピンを、キーパッドに開口形成した取付孔に挿入嵌合して、キーパッドを機器筐体に固定設置して成る電子機器であって、キーパッドにおいてゴム材料から成る部位に取付孔を開口形成するとともに、取付孔の貫通するゴム材料から成るスリーブの外周に、該スリーブの変形を拘束する樹脂材料から成るサポート部を設けて成ることを特徴としている。
【００１１】
請求項２の発明に関わる電子機器は、請求項１の発明に関わる電子機器において、ゴム材料から成るクリックドームシートに、樹脂材料から成るベースプレートを一体成形して成るキーパッドにおいて、クリックドームシートに取付孔の貫通するスリーブを形成するとともに、ベースシートにサポート部を形成したことを特徴としている。
【発明の効果】
【００１２】
請求項１の発明に関わる電子機器によれば、取付孔の貫通するゴム材料から成るスリーブの外周に、該スリーブの変形を拘束する樹脂材料から成るサポート部を設けたことで、取付孔に取付ピンを挿入嵌合した際にスリーブが外方へ膨らむ様に変形することを拘束でき、ゴム材料の柔軟性に起因する取付ピンへの締付力の低下が防止され、もって機器筐体にキーパッドを強固に固定設置することが可能となり、さらに上記スリーブの変形、言い換えればスリーブ自体の変位を拘束でき、もって不用意なガタを生じることなく、機器筐体にキーパッドを確実に固定設置することが可能となる。
【００１３】
請求項２の発明に関わる電子機器によれば、キーパッドを構成するゴム材料から成るクリックドームシートに取付孔の貫通するスリーブを形成し、キーパッドを構成する樹脂材料から成るベースシートにサポート部を形成したことで、ゴム材料から成るクリックドームシートに、樹脂材料から成るベースプレートを一体成形して成るキーパッドを採用した電子機器において、機器筐体に対してキーパッドを強固、かつガタを生じることなく確実に固定設置することが可能となる。
【発明を実施するための最良の形態】
【００１４】
以下、実施例を示す図面に基づいて、本発明を詳細に説明する。  
図１は、本発明を適用した電子機器の一実施例である折畳み式の携帯電話機を示しており、この携帯電話機１は、下筐体２と上筐体３とがヒンジ部４を介して開閉自在に連結され、下筐体２は多数の操作キー３、３…等を有する一方、上筐体３には液晶表示部３Ｄ等が設置されている。
【００１５】
また、携帯電話機１における下筐体２は、下内ケース２Ｉと下外ケース２Ｏとを互いに組付けて成り、上記下筐体２の内部には回路基板(図示せず)等が収容設置され、下筐体２における下内ケース２Ｉの操作面２ｆからは、上述した多数の操作キー３、３…が露呈している。
【００１６】
上記操作キー３、３…は、図２〜図５に示すキーパッド１０を、下筐体２の下内ケース２Ｉに固定設置することにより、上記下筐体２の所定位置に実装されている。
【００１７】
上記キーパッド１０は、図２〜図４に示す如く、ゴム材料から成るクリックドームシート１１と、樹脂材料から成るベースプレート１２と、柔軟材料から成るキートップシート１３とから構成され、略矩形の平面形状を呈する上記キーパッド１０の縁部には、４箇所に取付用タブ１０Ｔ、１０Ｔ…が突出形成されており、これら取付用タブ１０Ｔ、１０Ｔ…には、それぞれ取付孔１１ｏ、１１ｏ…が開口形成されている。
【００１８】
ここで、キーパッド１０を構成するクリックドームシート１１は、所定の位置態様で配列された所定個数のクリックドーム１１ｃ、１１ｃ…を有し、その全体は、上述した如くゴム材料から形成されている。
【００１９】
一方、上述した如く樹脂材料から形成されているベースプレート１２は、上記クリックドームシート１２のクリックドーム１１ｃ、１１ｃ…を除いた部位を覆って、上記クリックドームシート１２と一体に形成されており、所定数の操作キー(キートップ)３、３…を連設したキートップシート１３は、ベースプレート１２から露呈した、クリックドームシート１２のクリックドーム１１ｃ、１１ｃ…に貼着されている。
【００２０】
また、上記キーパッド１０の各取付用タブ１０Ｔ、１０Ｔ…においては、上記クリックドームシート１１に取付孔１１ｏの貫通したスリーブ１１ｓが突出形成されており、上記スリーブ１１ｓは当然にクリックドームシート１１の他の部位と一体にゴム材料から形成されている。
【００２１】
さらに、上記キーパッド１０の各取付用タブ１０Ｔ、１０Ｔ…においては、上記クリックドームシート１１に突出形成されたスリーブ１１ｓの外周を囲繞する態様で、ベースプレート１２におけるサポート部１２ｈが形成されている。
【００２２】
ここで、上記サポート部１２ｈは、ベースプレート１２の他の部位と一体に、硬質の樹脂材料から形成されているため、上述した如く柔軟なゴム材料から成るクリックドームシート１１のスリーブ１１ｓを外周から囲繞することで、上記スリーブ１１ｓの変形を抑制して拘束する作用を為すものである。
【００２３】
一方、図５に示す如く、携帯電話機１における下筐体２の下内ケース２Ｉには、その内面の４箇所に取付ピン２ｐ、２ｐ…が突出形成されており、これら取付ピン２ｐ、２ｐ…は、上述したキーパッド１０における４箇所の取付孔１１ｏ、１１ｏ…に対応して形成されている。
【００２４】
また、図５に示す如く、上記下内ケース２Ｉにおける取付ピン２ｐ、２ｐ…を、キーパッド１０における取付孔１１ｏ、１１ｏ…に圧入し、取付ピン２ｐと取付孔１１ｏとを互いに嵌合させることにより、下内ケース２Ｉの内部における所定位置に、上記キーパッド１０が固定設置されることとなる。
【００２５】
上述した構成の携帯電話機１によれば、取付孔１１ｏの貫通するゴム材料から成るスリーブ１１ｓの外周に、該スリーブ１１ｓの変形を拘束する樹脂材料から成るサポート部１２ｈを設けたことで、取付孔１１ｏに取付ピン２ｐを挿入嵌合した際、スリーブ１１ｓが外方へ膨らむ様に変形することが拘束されて、ゴム材料の柔軟性に起因する取付ピン２ｐへの締付力の低下が防止され、もって下筐体２(下内ケース２Ｉ)に上記キーパッド１０を強固に固定設置することが可能となる。
【００２６】
また、上述した構成の携帯電話機１によれば、取付孔１１ｏの貫通するゴム材料から成るスリーブ１１ｓの外周に、該スリーブ１１ｓの変形を拘束する樹脂材料から成るサポート部１２ｈを設けたことで、上記スリーブ１１ｓの変形、言い換えれば上記スリーブ１１ｓ自体の変位が拘束され、もって不用意なガタを生じることなく、下筐体２(下内ケース２Ｉ)に上記キーパッド１０を確実に固定設置することが可能となる。
【００２７】
なお、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、機器筐体の操作面に露呈する操作キーを具備し、機器筐体の内部に突出形成した取付ピンを、キーパッドに開口形成した取付孔に挿入嵌合して、キーパッドを機器筐体に固定設置して成る様々な電子機器に対しても、本発明が極めて有効に適用し得るものであることは言うまでもない。
【図面の簡単な説明】
【００２８】
【図１】本発明に関わる電子機器の一実施例を示す携帯電話機の外観斜視図。
【図２】図１に示した携帯電話機におけるキーパッドの平面図。
【図３】図２に示したキーパッドからキートップシートを剥がした平面図。
【図４】(ａ)は図２に示したキーパッドの要部拡大平面図、(ｂ)は(ａ)中のｂ−ｂ線断面図。
【図５】図１に示した携帯電話機におけるキーパッドの取付け態様を示す機器筐体の要部断面側面図。
【図６】従来の携帯電話機を示す外観斜視図。
【図７】従来の携帯電話機におけるキーパッドの平面図。
【図８】図７に示したキーパッドからキートップシートを剥がした平面図。
【図９】(ａ)は図７に示したキーパッドの要部拡大平面図、(ｂ)は(ａ)中のｂ−ｂ線断面図。
【図１０】従来の携帯電話機におけるキーパッドの取付け態様を示す機器筐体の要部断面側面図。
【符号の説明】
【００２９】
１…携帯電話機(電子機器)、
２…下筐体、
２Ｉ…下内ケース(機器筐体)、
２ｆ…操作面
２ｐ…取付ピン、
３…操作キー、
１０…キーパッド、
１０Ｔ…取付タブ、
１１…クリックドームシート、
１１ｏ…取付孔、
１１ｓ…スリーブ、
１２…ベースプレート、
１２ｈ…サポート部、
１３…キートップシート。
【図１】
2008140733.tif 000003
【図２】
2008140733.tif 000004
【図３】
2008140733.tif 000005
【図４】
2008140733.tif 000006
【図５】
2008140733.tif 000007
【図６】
2008140733.tif 000008
【図７】
2008140733.tif 000009
【図８】
2008140733.tif 000010
【図９】
2008140733.tif 000011
【図１０】
2008140733.tif 000012